(57)【要約】【課題】サミング操作に伴う指のスライド移動を違和感なくスムーズに行なえるサミング操作性が良好な両軸受型リールを提供する。【解決手段】本発明の両軸受型リールにおいて、スプール３のフランジ３ａの外周端面に左側板７Ａへ向けて傾斜して形成される面取り部３ｃの起点Ｐ１と、左側板７Ａの外周端面７ｂにスプール３へ向けて傾斜して形成される面取り部７ｄの起点Ｐ２とを結ぶ線Ｌ２は、スプール３の軸方向と平行な基準線Ｌ１に対して成す角度θが３０°〜４５°に設定される。【選択図】  図７
2016178886.tif 000002
【特許請求の範囲】
【請求項１】
リール本体の両側板間に回転自在に支持したスプールを一方の側板に設けたハンドルで回転可能とした両軸受型リールにおいて、
前記スプールは、釣糸が巻回される釣糸巻回胴部と、前記釣糸巻回胴部の両側に形成されて前記側板に隣接するフランジとを備え、
前記スプールの前記フランジの外周端面に反ハンドル側にある他方の前記側板へ向けて傾斜して形成される面取り部の起点と、前記他方の側板の外周端面に前記スプールへ向けて傾斜して形成される面取り部の起点とを結ぶ線は、前記スプールの軸方向と平行な基準線に対して成す角度が３０°〜４５°に設定されることを特徴とする両軸受型リール。
【請求項２】
前記側板の前記面取り部を形成する傾斜面と前記基準線とが成す角度は、前記スプールの前記面取り部を形成する傾斜面と前記基準線とが成す角度よりも小さいことを特徴とする請求項１に記載の両軸受型リール。
【請求項３】
前記スプールの前記面取り部の起点が前記巻回胴部の側部に形成される前記フランジの径方向最外端であることを特徴とする請求項１または請求項２に記載の両軸受型リール。
【請求項４】
前記リール本体は、前記スプールに釣糸を平行に巻回するレベルワインド装置を伴わずにその反ハンドル側の側板が側面視円形状に形成されて成ることを特徴とする請求項１から３のいずれか一項に記載の両軸受型リール。
【請求項５】
前記反ハンドル側の側板の外径は、ハンドル側の側板よりも小径に形成されていることを特徴とする請求項４に記載の両軸受型リール。
【請求項６】
リール本体の両側板間に回転自在に支持したスプールを一方の側板に設けたハンドルで回転可能とした両軸受型リールにおいて、
前記スプールは、釣糸が巻回される釣糸巻回胴部と、前記釣糸巻回胴部の両側に形成されて前記側板に隣接するフランジとを備え、
前記スプールの前記フランジの内面の延長線と前記フランジの外周端面の水平な延長性との交点と、反ハンドル側にある他方の前記側板の外周端面に前記スプールへ向けて傾斜して形成される面取り部の起点とを結ぶ線は、前記スプールの軸方向と平行な基準線に対して成す角度が２５°〜４５°に設定されることを特徴とする両軸受型リール。
【発明の詳細な説明】
【技術分野】
【０００１】
本発明は、釣糸を巻回するスプールをリール本体の側板間に回転自在に支持した両軸受型リールに関する。
【背景技術】
【０００２】
従来、両軸受型リールのリール本体は、スプールに釣糸を平行に巻回するレベルワインド装置をスプール前方の側板間に配置する構成上、前方側に膨出した形状に構成されている（例えば、特許文献１参照）。また、前記リール本体の左右の側板は、フレームの枠板（内側板とも称される）の外側に、外側板（カバー体とも称される）を装着することで構成されており、フレームの枠板と外側板との間の空間に巻き取り駆動機構等の各種部品を組み込んでいる。
【０００３】
ところで、最近の釣りでは、メタルジグやラバージグ等の疑似餌を使った釣法（ジギングとも称される）が行われており、このようなジギングにも、上記した両軸受型リールが使用されている。両軸受型リールを用いてジギングを行う場合、釣人は、釣竿と共にリール本体を握持、保持した状態でシャクリ操作を頻繁に繰り返すとともにハンドルの巻き取り操作を行なう。また、このようなジギングでは、疑似餌に掛かった魚とのファイティング操作も激しいことから、リール本体は、確実にホールドすることができ、長期間使用しても負担がかからないことが望まれる。
【０００４】
この点、特許文献１に開示された形状（側板が前方側に膨出した形状を意味し、以下、このような形状を異形状と称する）の両軸受型リールは、実釣時にリール本体の反ハンドル側の側板を掌で保持する際、膨出した部分で引っ掛かりがあるため、不必要な動きが制限されて保持できるものの、その保持位置・状態が固定されてしまう。すなわち、反ハンドル側の手の自由度がなくなり、シャクリ操作や魚とのファイティング操作において、強く長時間掌で保持していると痛くなり、操作に支障をきたしてしまう。また、スプールに巻回される釣糸の糸巻量は多い方が好ましいが、糸巻量を多くするためにスプールフランジを大径化すると、その分、側板の前後方向の長さも長くなってしまい、結果としてホールド性が悪化したり重量化してしまう。
【０００５】
そこで、レベルワインド装置を設けることなく、リール本体の反ハンドル側の側板を側面視円形状に形成した両軸受型リールが知られている（例えば、特許文献２参照）。この公知例のように、反ハンドル側の側板を円形状に構成することで、掌で握り込んだ状態のまま必要に応じて位置をずらすことができるため、ジギングする際の操作性の向上が図れるようになる。また、この公知例では、ハンドルの巻き取りの効率化が図れるように、大型のドライブギアを組み込むようにしており、ハンドル側の側板については、円形ではなく部分的に膨出させて、その膨出部分にドライブギアの一部を配設し、リール本体として極力、重量化しないように構成している。
【先行技術文献】
【特許文献】
【０００６】
【特許文献１】実開昭６０−４９７７２号
【特許文献２】特開２００４−１７３５２０号
【発明の概要】
【発明が解決しようとする課題】
【０００７】
ところで、前述した両軸受型リールでは、スプールから釣糸が勢いよく繰り出される際の（スプールの過回転に起因する）バックラッシュを防止するため、回転するスプールのフランジの外周端面に指を直接に当て付ける、あるいは、回転するスプールの釣糸巻回胴部に巻回される釣糸に指を当て付ける、いわゆるサミング操作を行なう場合がある。
【０００８】
特に、頻繁なシャクリ操作、シャクリ操作をしながらのハンドル巻き取り操作、及び、魚とのファイティング等、激しい操作が行われるジギングでは、サミング操作が頻繁に行なわれるとともに、スプールの回転速度も速いことから、サミングによる摩擦で釣糸が傷付かないように、また、瞬時にドラグ力を作用させるために、一般に、回転するスプールのフランジの外周端面に指を直接に当て付けるサミング形態がとられる。また、そのようなサミングは、通常、釣竿を握持、保持している手の掌をリール本体の反ハンドル側の側板の外側面に当接させるとともに、その手の親指の腹を側板の外周端面に載置してホールドした状態から、その載置した親指をスプールのフランジの外周端面上へと側方にスライドさせることによってなされる。
【０００９】
しかしながら、従来の両軸受型リールでは、異形状のものはもとより、ジギングに適した側面視円形状のものにおいても、一般に、リール本体の側板の外周端面とスプールのフランジの外周端面との間の高さの差（段差）が大きいため、サミングの際には、リール本体の側板の外周端面に載置している指をスプール側へ向けて側方にスライドさせてからスプールのフランジの外周端面上の位置まで下げる（落とし込む）動作が必要となり、側板の外周端面上からスプールのフランジの外周端面上への移行操作にかなりの違和感がある（スライド移動する指の落下感が強い）。
【００１０】
また、このような指の落下感を伴う複合的なスライド操作をサミングの度に繰り返すことは、特にサミング操作を頻繁に行なうジギングにおいて指の疲労感や痛みをもたらすとともに、サミング操作性の低下も招くこととなり、望ましくない。
【００１１】
本発明は、上記した問題に着目してなされたものであり、サミング操作に伴う指のスライド移動を違和感なくスムーズに行なえるサミング操作性が良好な両軸受型リールを提供することを目的とする。
【課題を解決するための手段】
【００１２】
上記した目的を達成するために、本発明は、リール本体の両側板間に回転自在に支持したスプールを一方の側板に設けたハンドルで回転可能とした両軸受型リールにおいて、前記スプールは、釣糸が巻回される釣糸巻回胴部と、前記釣糸巻回胴部の両側に形成されて前記側板に隣接するフランジとを備え、前記スプールの前記フランジの外周端面に反ハンドル側にある他方の前記側板へ向けて傾斜して形成される面取り部の起点と、前記他方の側板の外周端面に前記スプールへ向けて傾斜して形成される面取り部の起点とを結ぶ線は、前記スプールの軸方向と平行な基準線に対して成す角度が３０°〜４５°に設定されることを特徴とする。
【００１３】
上記した構成の両軸受型リールでは、反ハンドル側の側板へ向けて傾斜するスプールのフランジの面取り部の起点と、スプール側へ向けて傾斜する反ハンドル側の側板の面取り部の起点とを結ぶ線が、スプールの軸方向と平行な基準線に対して３０°〜４５°の角度を成しているため、側板の外周端面とスプールのフランジの外周端面との間に落差を生じさせることなくこれらの外周端面をほぼ同一の曲面（円弧）または平面に容易に沿わせることが可能となり、したがって、釣竿を握持、保持している手の掌をリール本体の反ハンドル側の側板の外側面に当接させるとともに、その手の親指の腹を側板の外周端面に載置してホールドした状態から、その載置した親指をスプールのフランジの外周端面上へと側方にスライドさせるだけで（従来のようにスプールのフランジの外周端面上の位置まで下げる落とし込み動作を伴うことなく側方スライドのみで）、スムーズにサミング操作へと移行することができる。すなわち、サミング操作に伴う指のスライド移動を違和感なく（指の落下感を伴わずに）スムーズに行なえ、サミング操作性が良好となり、したがって、瞬時の魚とのファイティング対応やスプールへの適度な制御操作等をスムーズに行なえる。
【００１４】
これは、特に、サミング操作を頻繁に行なうジギングにおいて、指の疲労感や痛みをもたらすことがなく、サミング操作性の低下を招くこともなくなるため、非常に有益である。また、スプールの外周端面の面取り部と側板の外周端面の面取り部との間のこのような配置関係は、リール保持とサミング操作とを行ない易い位置に手の掌および指をセットできるようにする。
【発明の効果】
【００１５】
本発明によれば、サミング操作に伴う指のスライド移動を違和感なくスムーズに行なえるサミング操作性が良好な両軸受型リールが得られる。
【図面の簡単な説明】
【００１６】
【図１】本発明に係る両軸受型リールの第１の実施形態を示す平面図である。
【図２】図１に示す両軸受型リールの正面図である。
【図３】図１に示す両軸受型リールの反ハンドル側の左側面図である。
【図４】図１に示す両軸受型リールのハンドル側の右側面図である。
【図５】図１に示す両軸受型リールの断面図である。
【図６】図１に示す両軸受型リールの左側板とスプールとが隣接する部分の拡大断面図である。
【図７】図６の要部拡大断面図である。
【図８】スプールの外周端面の面取り部と側板の外周端面の面取り部との間の配置関係に基づく評価試験結果を示す表である。
【図９】本発明に係る両軸受型リールの第２の実施形態を示す要部拡大断面図である。
【発明を実施するための形態】
【００１７】
以下、図１から図８を参照して本発明に係る両軸受型リールの一実施形態について説明する。
【００１８】
本実施形態に係る両軸受型リールは、上述したように、ジギングする上で最適な構造となるように構成されたものであり、リール本体１は、左側板１Ａ、右側板１Ｂ、及び両側板１Ａ，１Ｂ間に回転自在に支持したスプール３を備えている。本実施形態では、右側板１Ｂ側にハンドル５を設けており、ハンドル５を巻き取り操作することでスプール３を回転駆動する構成となっている（右ハンドル式）。
【００１９】
リール本体１は、左右の側板１Ａ，１Ｂを構成するフレーム７を備えている。このフレーム７は、例えば、アルミニウム合金の金属材等によって一体形成されており、左側板（反ハンドル側の側板）１Ａそのものを構成すると共に、後述するカバー体１５を装着した状態で右側板１Ｂを構成している。すなわち、フレーム７は、左側板７Ａと右枠体７Ｂを備えており、左側板７Ａがリール本体１の左側板１Ａを構成し、右枠体７Ｂにカバー体１５を装着することでリール本体１の右側板１Ｂを構成する。しかしながら、側板１Ａ，１Ｂの形態はこのようなフレーム構造に限定されない。
【００２０】
一例としての前記フレーム構造において、フレーム７は、左側板７Ａと右枠体７Ｂとを連結する連結部を備えている。本実施形態では、スプール３の前方に前連結部７Ｃ、スプール３の後方に後連結部７Ｄ、および、スプール３の下方に隣接して２つの下連結部７Ｅが設けられており、これらの連結部は、左側板７Ａおよび右枠体７Ｂと共に一体形成されている。なお、下連結部７Ｅには、釣竿のリールシートに装着されるリール脚８が一体的に装着されている（リール脚はフレーム７と一体形成されていてもよい）。なお、本実施形態において、右枠体７Ｂは、スプール３を右側から挿入して着脱できるように開口を有するリング状に形成されるが、そのような構造に限定されない。
【００２１】
フレーム７の左側板７Ａは、図３に示すように、外周形状が側面視円形状に構成されている。左側板７Ａは、内部が中実構造で薄肉厚化されており、釣竿を握持、保持している手の掌が外側面７ａに当接し、その手の親指が外周端面（円周面）７ｂに載置されてホールドされる略円柱形状になっている。本実施形態では、ホールド性（掌が当たる感触）が向上するように、外側面７ａは軸方向に多少膨出しており（図１，図２参照）、また、外周端面７ｂに載置した親指が外側面７ａとの間で違和感が生じないように、外周端面７ｂの外側には、外側面７ａに移行するように傾斜した円周テーパ７ｃが形成されている。また、外周端面７ｂに載置した親指が後述するようにスムーズにサミング操作できるように、外周端面７ｂの内側（スプール３側）には、左側板７Ａに隣接するスプール３のフランジ３ａ側へ滑らかに移行するように傾斜した面取り部７ｄが形成されている。なお、これについては、以下で更に詳しく説明する。
【００２２】
左側板７Ａには、図５に示すように、スプール３のフランジ３ａが収容される環状の凹所７ｅが形成されている（凹所７ｅの内径は、スプール３のフランジ３ａの外径よりも僅かに大きく形成されている）。また、左側板７Ａの中心領域には、凹部７ｆが形成されており、その凹所７ｆ内には軸受１０が配設され、スプール３の駆動軸３Ａの左側端部を回転自在に支持している。
【００２３】
さらに、本実施形態では、左側板７Ａ内に、スプール３の釣糸繰り出し方向の回転を阻止する公知のスプールストッパ１２が設置されている。このスプールストッパ１２は、左側板７Ａの外側面７ａから突出するスライドレバー１２ａと、スライドレバー１２ａのスライド操作によって駆動されるリンク機構１２ｂと、リンク機構１２ｂに連結されて、スプール３の駆動軸３Ａに回り止め固定されたラチェット３Ｂと係脱されるストッパ１２ｃとを備えている。このように構成されたスプールストッパ１２は、スライドレバー１２ａをスライド操作することにより、ストッパ１２ｃをラチェット３Ｂに係合してスプール３の釣糸繰り出し方向の回転を阻止する状態と、ストッパ１２ｃをラチェット３Ｂに非係合にしてスプール３の釣糸繰り出し方向の回転を可能にする状態とに切り換え可能としている。
【００２４】
また、リング状の右枠体７Ｂは、左側板７Ａと同様、側面視で円形状に構成されており、その外径は、左側板７Ａの外径よりも大きく形成されている。すなわち、ハンドル側の側板１Ｂには、後述するように、ハンドルの回転駆動力をスプールに伝達する巻き取り駆動機構、ドラグ機構、クラッチ機構等、各種の機能部品が収容されることから、リール本体１は、左側板１Ａ（７Ａ）よりも右側板１Ｂ（右枠体７Ｂ）の方が大きい構成となっている。
【００２５】
スプール３は、釣糸が巻回される釣糸巻回胴部３ｂと、その両側に形成されて左側板７Ａに隣接するフランジ３ａとを備えており、釣糸巻回胴部３ｂに巻回される釣糸は、フランジ３ａによってその巻回容量が特定される。特に、本実施形態において、釣糸巻回胴部３ｂの外径は、スプール３の外径（フランジ３ａの外径）の９０％に設定される（図６に示される起点Ｐ１によって釣糸が巻回される釣糸巻回胴部３ｂのフランジ３ａに境界付けられる）。また、スプール３の中心部には、駆動軸３Ａが挿通固定されており、その駆動軸３Ａのスプール３の左側にラチェット３Ｂが回り止め固定されるとともに、左側端部が軸受１０によって左側板１Ａ（フレーム７の左側板７Ａ）に回転可能に支持される。また、駆動軸３Ａのスプール３の右側には、軸受３Ｃが配設されるとともに、その軸方向外方に、後述するクラッチ機構によって軸方向に摺動されるピニオンギア２３が係脱するピン３Ｄが設けられている。そして、ピン３Ｄが設けられる位置よりもハンドル５側の駆動軸３Ａの部分は、小径化されてピニオンギア２３に挿通されている（ピニオンギア２３に挿通される小径化された部分を駆動軸３Ａ´とする）。
【００２６】
フレーム７の右枠体７Ｂには、カバー体１５が着脱可能に固定され、右枠体７Ｂとカバー体１５によってリール本体１の右側板１Ｂが構成される。このカバー体１５は、右枠体７Ｂとの間に収容スペースＳが生じるように凹状に形成されており、収容スペースＳ内に各種の機能部品が配設されている。なお、カバー体１５は、基本的に側面視で円形状に構成されているが、ハンドル５の巻き取り効率を向上するために、ハンドル軸５Ａには大きいドライブギアを装着するようにしている。このため、図４に示すように、カバー体１５には、部分的に略半円状に膨出する膨出部１５Ａが形成されており、その部分にドライブギアを収容するようにしている。
【００２７】
以下、収容スペースＳ内に配設される各種の機能部品について説明する。
上記したように、収容スペースＳ内には、ハンドル５の回転駆動力をスプール３に伝達する巻き取り駆動機構２０、スプール３から繰り出される釣糸に対して所望の制動力を付与するドラグ機構５０、および、スプール３を巻き取り状態／フリー回転状態に切り換えるクラッチ機構７０が配設されるが、本実施形態では、カバー体１５に装着される支持部材（セットプレートとも称する）１６とカバー体１５との間に収容スペースＳを形成し、この収容スペースＳ内に前記各機構を配設している。
【００２８】
ここで巻き取り駆動機構２０の構成について説明する。
上記したように、本実施形態では、スプール３を回転駆動するハンドル５を右側板１Ｂ側に設置しており、支持部材１６とカバー体１５との間の収容スペースＳには巻き取り駆動機構２０が配設される。巻き取り駆動機構２０は、ハンドル５が装着されたハンドル軸５Ａと、このハンドル軸５Ａに回転可能に装着されたドライブギア２１と、ドライブギア２１に噛合するピニオンギア２３とを備えている。
【００２９】
ハンドル軸５Ａは、その端部に巻き取り操作されるハンドル５が装着されており、カバー体１５との間に配設される軸受２５と、右枠体７Ｂに形成された凹所１６ｇとの間に配設される軸受２６とによって右側板１Ｂに対して回転可能に支持されている。ドライブギア２１と噛合されるピニオンギア２３は、スプール３の駆動軸３Ａ´を挿通させており、駆動軸３Ａ´に対して軸方向に摺動できるように支持されている。本実施形態では、ピニオンギア２３の両側部を、それぞれ軸受２７，２８によって回転可能に支持している。この場合、軸受２７は、支持部材１６の貫通孔１６ｅに配設されており、軸受２８は、カバー体１５に装着されスプールの駆動軸３Ａ´の端面に当て付いてスプールの回転に制動力を付与する公知の制動装置２９に配設されている。
【００３０】
ハンドル軸５Ａには、カバー体１５との間に公知の一方向クラッチ３０が配設されており、ハンドル５の釣糸巻き取り方向の回転を許容し、逆回転を阻止している。また、ハンドル軸５Ａ部分には、スプール３から繰り出される釣糸に対して所望の制動力を付与する公知のドラグ機構５０が配設されている。このドラグ機構５０は、ドライブギア２１に形成された環状凹所２１ａ内に配設された複数枚の制動板５１と、ハンドル軸５Ａに軸方向に移動不能に回り止め固定され、ドライブギア２１と面接するラチェットギア５２と、ハンドル軸５Ａに配設され、回転操作することで軸方向に移動する操作ノブ５５とを備えている。これにより、操作ノブ５５を回転操作すると、一方向クラッチ３０の内輪を介して制動板５１が押圧されて、ドライブギア２１にはハンドル軸５Ａとの間で所望の押圧力が作用する。すなわち、操作ノブ５５を回転操作することで、制動板２１に対する押圧力を調整してスプール３から繰り出される釣糸に対して所望のドラグ力を作用させることが可能となる。
【００３１】
なお、ラチェットギア５２には、係止爪（図示せず）が係合可能となっており、一方向クラッチ３０の逆転防止機能に滑りが生じた際に、ハンドル軸５Ａの逆回転を確実に阻止できるようになっている。
【００３２】
支持部材１６には、スプール３を巻き取り状態／フリー回転状態に切り換える公知のクラッチ機構７０が配設されている。このクラッチ機構７０は、右側板１Ｂに配設され外周面に沿うように回動可能に支持された操作部材７１と、支持部材１６に回動可能に支持され、操作部材７１の操作に伴って回動するクラッチプレート７２と、ピニオンギア２３の外周面に形成された円周溝と係合し、クラッチプレート７１の回動操作によってピニオンギア２３を軸方向に摺動させる係合部材７４とを備えている。すなわち、操作部材７１を操作することでピニオンギア２３を軸方向に摺動させ、ピニオンギア２３の断面非円形の端部２３ｂをスプール３の駆動軸３Ａに設けられたピン３Ｄと係脱させて動力の伝達状態（クラッチＯＮ状態）と、動力の遮断状態（クラッチＯＦＦ状態）との間で切り換えできるよう構成されている。この場合、ラチェットギア５２および支持部材１６には、ハンドル５を巻き取り操作した際、クラッチ機構７０をＯＦＦ状態からＯＮ状態に自動復帰させる復帰機構が設けられている。
【００３３】
上述したように、カバー体１５には、ハンドル軸５Ａに装着されたドライブギア２１を部分的に収容するように、略半円状に膨出する膨出部１５Ａが形成されている。この膨出した部分は、右枠体７Ｂにネジによって取着され略半円状に形成された閉塞部材６１（図３参照）によって閉塞される。すなわち、上記したように、支持部材１６が取り付けられたカバー体１５を右枠体７Ｂに取り付けると、膨出部１５Ａは、右枠体７Ｂに取着された閉塞部材６１によってそのまま閉塞されるようになっている。
【００３４】
ここで、図６および図７を参照して、サミング操作性を向上させるためのスプール３および左側板７Ａの外周端面形態について説明する。
これらの図に示されるように、本実施形態において、スプール３のフランジ３ａの外周端面には、反ハンドル側にある左側板７Ａへ向けて上向きに傾斜して形成される面取り部３ｃが形成される。また、左側板７Ａの外周端面７ｂ（特に、スプール３のフランジ３ａの外周端部を内側に受け入れる嵌合端部の外周面）には、前述したように、スプール３へ向けて下向きに傾斜して形成される面取り部７ｄが形成される。そして、この場合、左側板７Ａへ向けて形成されるスプール３の面取り部３ｃの起点Ｐ１と、スプール３へ向けて形成される左側板７Ａの面取り部７ｄの起点Ｐ２とを結ぶ線Ｌ２は、スプール３の軸方向と平行な基準線Ｌ１に対して成す角度θが３０°〜４５°、好ましくは３５°〜４５°、より好ましくは４０°〜４５°に設定されている。なお、本実施形態において、スプール３の面取り部３ｃの起点Ｐ１は、面取り部３ｃの巻回胴部３ｂ側のフランジ３ａに設定される（巻回胴部３ｂの側部に形成されるフランジ３ａの径方向最外端）。また、起点Ｐ２は、面取り部７ｄの左側板７Ａの外周端面７ｂ側に設定される。
【００３５】
また、このような面取り部３ｃ，７ｄの配置関係において、左側板７Ａの面取り部７ｄを形成する傾斜面と基準線Ｌ１とが成す角度θ１は、スプール３の面取り部３ｃを形成する傾斜面と基準線Ｌ１とが成す角度θ２よりも小さいことが好ましい（図７参照）。この場合、θ１とθ２との間の角度差は２０°〜５０°であることが好ましい。
【００３６】
また、面取り部７ｄから面取り部３ｃへの指の滑らかなスライド移動を実現するために、面取り部３ｃの起点Ｐ１と面取り部７ｄの起点Ｐ２との間の高さＨは２ｍｍ〜６ｍｍであることが好ましく（図７参照）、面取り部３ｃの全長にわたる厚さＴ２の変化は０．１ｍｍ〜０．５ｍｍ、面取り部７ｄの全長にわたる厚さＴ１の変化は１ｍｍ〜３ｍｍであることが好ましい（図６参照）。
【００３７】
以上のような構成では、反ハンドル側の左側板７Ａへ向けて傾斜するスプール３のフランジ３ａの面取り部３ｃの起点Ｐ１と、スプール３側へ向けて傾斜する反ハンドル側の左側板７Ａの面取り部７ｄの起点Ｐ２とを結ぶ線Ｌ２が、スプール３の軸方向と平行な基準線Ｌ１に対して３０°〜４５°の角度θを成しているため、左側板７Ａの外周端面７ｂとスプール３のフランジ３ａの外周端面との間に落差を生じさせることなくこれらの外周端面をほぼ同一の曲面（円弧）または平面に容易に沿わせることが可能となり、したがって、釣竿を握持、保持している手の掌をリール本体１の反ハンドル側の左側板７Ａの外側面７ａに当接させるとともに、その手の親指の腹を左側板７Ａの外周端面７ｂに載置してホールドした状態から、その載置した親指をスプール３のフランジ３ａの外周端面上へと側方にスライドさせるだけで（従来のようにスプール３のフランジ３ａの外周端面上の位置まで下げる落とし込み動作を伴うことなく側方スライドのみで）、スムーズにサミング操作へと移行することができる。すなわち、サミング操作に伴う指のスライド移動を違和感なく（指の落下感を伴わずに）スムーズに行なえ、サミング操作性が良好となり、したがって、瞬時の魚とのファイティング対応やスプールへの適度な制御操作等をスムーズに行なえる。
【００３８】
これは、特に、サミング操作を頻繁に行なうジギングに適した本実施形態の両軸受型リールにおいて、指の疲労感や痛みをもたらすことがなく、サミング操作性の低下を招くこともなくなるため、非常に有益である。また、スプール３の外周端面の面取り部３ｃと左側板７Ａの外周端面７ｂの面取り部７ｄとの間のこのような配置関係は、リール保持とサミング操作とを行ない易い位置に手の掌および指をセットできるようにする。
【００３９】
このような本実施形態の両軸受型リールの作用効果を実証するために、本発明者等は、スプール３の外周端面の面取り部３ｃと左側板７Ａの外周端面７ｂの面取り部７ｄとの間の前述した配置関係に基づく評価試験を行なった。その試験結果が図８に示される。
【００４０】
この評価試験は、スプール３の面取り部３ｃの起点Ｐ１と左側板７Ａの面取り部７ｄの起点Ｐ２とを結ぶ線Ｌ２と基準線Ｌ１とが成す角度θを２５°から５０°までの範囲で５°ずつ変化させた両軸受型リールをそれぞれ用意し、５人のテスターがそれぞれの両軸受型リールを実釣により使用することによって各評価項目について３段階評価（×・・・１点、△・・・０．５点、〇・・・１点）を行なうことによりなされた。なお、図７には、θが異なるそれぞれの両軸受型リールの各項目ごとに、５人のテスターが判定した評価結果として最も人数の多かった評価が×，△，〇の記号で示されている。
【００４１】
例えば、サミング性、すなわち、釣竿を握持、保持している手の掌をリール本体１の反ハンドル側の左側板７Ａの外側面７ａに当接させるとともに、その手の親指の腹を左側板７Ａの外周端面７ｂに載置してホールドした状態から、その載置した親指をスプール３のフランジ３ａの外周端面上へと側方にスライドさせる指の操作性に関する評価項目においては、４５°〜２５°の広い角度範囲で良好な〇の判定がなされた。また、リールを握る際のホールド性、すなわち、釣竿を握持、保持している手の掌をリール本体１の反ハンドル側の左側板７Ａの外側面７ａに当接させるとともに、その手の親指の腹を左側板７Ａの外周端面７ｂに載置してホールドする際の安定感に関する評価項目においては、４５°〜３５°の角度範囲で良好な〇の判定がなされ、５０°および３５°において△の判定がなされた。更に、左側板７Ａの凹所７ｅと嵌合するスプール３のフランジ３ａの部分における強度に関する評価項目においては、５０°〜４０°の角度範囲で良好な〇の判定がなされ、３５°および３０°において△の判定がなされた。この強度試験は、３０ｃｍの高さから平坦な床へ向けてリールを様々な姿勢で自由落下させ、その際のスプール３のフランジ３ａの損傷度合いを平均値として示したものである。また、デザインに関する評価項目においては、４０°で良好な〇の判定がなされ、３０°，３５°，４５°において△の判定がなされた。更に、面取り部３ｃ，７ｄにおける加工性に関する評価項目においては、５０°〜３５°の広い角度範囲で良好な〇の判定がなされた。なお、角度θが小さくなればなるほど、面取り部３ｃ，７ｄの切削加工量が多くなるため、３０°，２５°では段階的に低い評価が得られた。
【００４２】
以上の各評価の総合結果（単に各項目を合計した結果）が図７の表の最下行に記されている。この総合評価から明らかなように、スプール３の面取り部３ｃの起点Ｐ１と左側板７Ａの面取り部７ｄの起点Ｐ２とを結ぶ線Ｌ２と基準線Ｌ１とが成す角度θは、３０°〜４５°が好ましく、３５°〜４５°がより好ましく、４０°〜４５°、更には４０°が最も好ましいことが分かる。
【００４３】
図９には、サミング操作性を向上させるためのスプール３および左側板７Ａの別の外周端面形態を有する両軸受型リールの第２の実施形態が示される。図示のように、本実施形態では、スプール３のフランジ３ａの外周端面に面取り部が存在せず、代わりに、円弧状に湾曲する湾曲面部３ｄがフランジ３ａの外周端面に設けられる。また、左側板７Ａの外周端面７ｂ（特に、スプール３のフランジ３ａの外周端部を内側に受け入れる嵌合端部の外周面）には、第１の実施形態と同様に、スプール３へ向けて下向きに傾斜して形成される面取り部７ｄが形成される。そして、この場合、スプール３のフランジ３ａの内面３ａａの延長線Ｘ１とフランジ３ａの外周端面の水平な延長性Ｘ２との交点Ｐ３と、左側板７Ａの面取り部７ｄの起点Ｐ２とを結ぶ線Ｌ３は、スプール３の軸方向と平行な基準線Ｌ１に対して成す角度θ３が２５°〜４５°に設定される。このようにθ３の下限が第１の実施形態の場合のθの下限よりも小さくなる理由は、フランジ３ａの外周端面に面取り形状が無くなり、したがって、交点Ｐ３と起点Ｐ２との間の高さｈが第１の実施形態における起点Ｐ１，Ｐ２間の高さＨよりも小さくなるからである。このようなスプール３および左側板７Ａの外周端面形態においても、サミング操作に伴う指のスライド移動を違和感なく（指の落下感を伴わずに）スムーズに行なえ、サミング操作性が良好となり、また、図８に示される評価試験結果と同様の結果が得られた。
【００４４】
以上、本発明の実施形態について説明したが、本発明は、上記した実施形態に限定されることはなく、種々変形することが可能である。
例えば、右側板の形状やクラッチ機構の操作部材の配設位置や構成等、適宜変形することが可能である。また、本発明は、右側板にハンドルを装着したが左側板に装着してもよい。また、フレームの構造は任意であり、スプールに釣糸を平行に巻回するレベルワインド装置が設けられていても構わない。また、各面取り部３ｃ，７ｄは、その傾斜角度が段階的に変化してもよく、また、前述した第２の実施形態のようにスプール３の面取り部３ｃが形成されなくてもよい。
【符号の説明】
【００４５】
１  リール本体
１Ａ，１Ｂ  側板
３  スプール
３ａ  フランジ
３ｂ  釣糸巻回胴部
３ｃ  面取り部
５  ハンドル
７  フレーム
７Ａ  側板
７ｂ  外周端面
７ｄ  面取り部
Ｌ１  基準線
Ｌ２  面取り部の起点間を結ぶ線
Ｌ３  交点と起点とを結ぶ線
Ｐ１，Ｐ２  起点
Ｐ３  交点
Ｘ１，Ｘ２  延長戦
【図１】
2016178886.tif 000003
【図２】
2016178886.tif 000004
【図３】
2016178886.tif 000005
【図４】
2016178886.tif 000006
【図５】
2016178886.tif 000007
【図６】
2016178886.tif 000008
【図７】
2016178886.tif 000009
【図８】
2016178886.tif 000010
【図９】
2016178886.tif 000011